(57)【要約】      （修正有）【課題】壁等に隠蔽することなく敷設することが可能で、コンセント位置の移動、増設に柔軟に対応可能で、しかも配線の着脱作業性の向上及び接続後の抜け防止が向上し、かつ一次側の接続工事以外、ユーザが自由に移動、増設、延長が実施可能な配線装置の提供。【解決手段】コンセントユニット３０は、コンセント本体と、このコンセント本体３１の左右両側に接続された可撓性配線３２，３３と、一方の可撓性配線に接続されたプラグ３４と、他方の可撓性配線に接続されたコネクタ３５と、を含み、配線ユニット４０は、可撓性配線４１と、この可撓性配線の一端部に接続されたプラグ４２と、可撓性配線の他端部に接続されたコネクタ４３と、を含み、コンセントユニットのプラグ３４と、配線ユニットのコネクタとを接続し、配線ユニットのプラグは配線基側に接続し、コンセントユニットのコネクタは、他の配線ユニットのプラグと接続する。 【選択図】図１
0003122361.tif 000002
【実用新案登録請求の範囲】
【請求項１】
背面が施工面に当接し前面に全長に亙る開口が形成されたケース本体と、
前記ケース本体の長手方向の適宜位置に取付可能なコンセントユニットと、
前記ケース本体に収納され前記コンセントユニットと接続する配線ユニットと、
前記ケース本体の開口を覆うケースカバーと、
を備え、
前記コンセントユニットは、コンセント本体と、このコンセント本体の左右両側に接続された可撓性配線と、前記一方の可撓性配線に接続されたプラグと、前記他方の可撓性配線に接続されたコネクタと、を含み、
前記配線ユニットは、可撓性配線と、この可撓性配線の一端部に接続されたプラグと、前記可撓性配線の他端部に接続されたコネクタと、を含み、
前記コンセントユニットのプラグと、前記配線ユニットのコネクタとを接続し、前記配線ユニットのプラグは配線基側に接続し、
前記コンセントユニットのコネクタは、他の配線ユニットのプラグと接続するか、防塵キャップで覆い、
前記ケースカバーは、前記ケース本体の開口のうち前記コンセント本体が取り付けられていない部位を覆うことを特徴とする配線装置。
【請求項２】
前記ケース本体が、幅木本体であり、
前記ケースカバーが、幅木カバーであり、
前記幅木カバーが、前記幅木本体の開口のうち前記コンセント本体が取り付けられていない部位を覆うことを特徴とする請求項1に記載の配線装置。
【請求項３】
コンセント本体と、このコンセント本体の左右両側に接続された可撓性配線と、前記一方の可撓性配線に接続されたプラグと、前記他方の可撓性配線に接続されたコネクタと、を含むコンセントユニットと、
可撓性配線と、この可撓性配線の一端部に接続されたプラグと、前記可撓性配線の他端部に接続されたコネクタと、を含む配線ユニットとからなり、
前記コンセントユニットのプラグと、前記配線ユニットのコネクタとを接続し、前記配線ユニットのプラグは配線基側に接続し、
前記コンセントユニットのコネクタは、他の配線ユニットのプラグと接続するか、防塵キャップで覆うことを特徴とする配線装置。
【請求項４】
前記コンセントユニットは、
前記コンセント本体の厚さより、前記コンセントユニットの前記可撓性配線、前記プラグ、前記コネクタのいずれもの厚さが薄くて低い位置に配置され、
かつ前記配線ユニットは、
前記コンセント本体の厚さより、前記配線ユニットの前記可撓性配線、前記プラグ、前記コネクタ、防塵キャップのいずれもの厚さが薄くて低い位置に配置されることを特徴とする請求項1乃至請求項3のいずれか1項に記載の配線装置。
【考案の詳細な説明】
【技術分野】
【０００１】
この考案は、例えば住宅などにおいて電力線や信号線を引き回すために用いられる配線装置に関するものである。
【背景技術】
【０００２】
従来より、テレビジョン、電話、パソコンなどの電子機器のコンセントは、壁面に取り付けて、これに配線を接続していた。このため、例えば電子機器を移動したい場合などには、移動先の近くにコンセントを設置するか、あるいは予め配線を長くしておく必要があった。
【０００３】
この種の要求に答えるために、例えば配線ダクト内に電力線や信号線を収納して配線する配線施工技術が提案され、配線ダクトを施工した状態でコンセントを移動させたり、追加させたり削除したりするものが知られている（特許文献１，２）。
【特許文献１】特開平１-５０３７７号公報
【特許文献２】特開平１０-３０４５３３号公報
【考案の開示】
【考案が解決しようとする課題】
【０００４】
ところで、特許文献１では配線ダクトの内部に導体を収納し、配線ダクトの前面に溝開口を設け、コンセントを導体に接続した状態で移動できるようにしたものであり、導体を電力線とすると漏電しないように配線ダクトの絶縁にコストがかかる。また、溝開口からごみやほこりが配線ダクトの内部に入り、ごみやほこりの侵入等により漏電の可能性がある。
【０００５】
また、特許文献２では配線ダクトの内部に導体を収納すると共に、コンセントを導体に接続するように追加させたり削除したりする構造が複雑であり、手数もかかるなどの問題がある。
【０００６】
さらに、特許文献１や特許文献２では配線ダクトの内部に導体が存在し、導体の保護及び専用コンセントを固定するため、配線ダクトに強度が求められる。よって、配線ダクトがアルミニウム製であり、コンセント位置を移動したり、増設する場合には、切断等の加工が一般ユーザでは困難であり、また高価である。
【０００７】
この考案は、かかる点に鑑みてなされたもので、壁等に隠蔽することなく敷設することが可能で、コンセント位置の移動、増設に柔軟に対応可能で、しかも配線の着脱作業性の向上及び接続後の抜け防止が向上し、かつ一次側の接続工事以外、ユーザが自由にコンセントを移動、増設、延長が実施可能な配線装置を提供することを目的としている。
【課題を解決するための手段】
【０００８】
前記課題を解決し、かつ目的を達成するために、この考案は、以下のように構成されている。
請求項１に記載の考案は、
背面が施工面に当接し前面に全長に亙る開口が形成されたケース本体と、
前記ケース本体の長手方向の適宜位置に取付可能なコンセントユニットと、
前記ケース本体に収納され前記コンセントユニットと接続する配線ユニットと、
前記ケース本体の開口を覆うケースカバーと、
を備え、
前記コンセントユニットは、コンセント本体と、このコンセント本体の左右両側に接続された可撓性配線と、前記一方の可撓性配線に接続されたプラグと、前記他方の可撓性配線に接続されたコネクタと、を含み、
前記配線ユニットは、可撓性配線と、この可撓性配線の一端部に接続されたプラグと、前記可撓性配線の他端部に接続されたコネクタと、を含み、
前記コンセントユニットのプラグと、前記配線ユニットのコネクタとを接続し、前記配線ユニットのプラグは配線基側に接続し、
前記コンセントユニットのコネクタは、他の配線ユニットのプラグと接続するか、防塵キャップで覆い、
前記ケースカバーは、前記ケース本体の開口のうち前記コンセント本体が取り付けられていない部位を覆うことを特徴とする配線装置。
【０００９】
請求項２に記載の考案は、
前記ケース本体が、幅木本体であり、
前記ケースカバーが、幅木カバーであり、
前記幅木カバーが、前記幅木本体の開口のうち前記コンセント本体が取り付けられていない部位を覆うことを特徴とする請求項1に記載の配線装置である。
【００１０】
請求項３に記載の考案は、
コンセント本体と、このコンセント本体の左右両側に接続された可撓性配線と、前記一方の可撓性配線に接続されたプラグと、前記他方の可撓性配線に接続されたコネクタと、を含むコンセントユニットと、
可撓性配線と、この可撓性配線の一端部に接続されたプラグと、前記可撓性配線の他端部に接続されたコネクタと、を含む配線ユニットとからなり、
前記コンセントユニットのプラグと、前記配線ユニットのコネクタとを接続し、前記配線ユニットのプラグは配線基側に接続し、
前記コンセントユニットのコネクタは、他の配線ユニットのプラグと接続するか、防塵キャップで覆うことを特徴とする配線装置である。
【００１１】
請求項４に記載の考案は、
前記コンセントユニットは、
前記コンセント本体の厚さより、前記コンセントユニットの前記可撓性配線、前記プラグ、前記コネクタのいずれもの厚さが薄くて低い位置に配置され、
かつ前記配線ユニットは、
前記コンセント本体の厚さより、前記配線ユニットの前記可撓性配線、前記プラグ、前記コネクタ、防塵キャップのいずれもの厚さが薄くて低い位置に配置されることを特徴とする請求項1乃至請求項3のいずれか1項に記載の配線装置である。
【考案の効果】
【００１２】
前記構成により、この考案は、以下のような効果を有する。
【００１３】
請求項１及び請求項３に記載の考案では、ケース本体の所定位置にコンセントユニットを取り付け、コンセントユニットのプラグと、配線ユニットのコネクタとを接続し、配線ユニットのプラグは配線基側に接続し、コンセントユニットのコネクタは、他の配線ユニットのプラグと接続するか、防塵キャップで覆い、ケースカバーによりケース本体の開口のうちコンセント本体が取り付けられていない部位を覆う。このように、コンセントユニットのプラグやコネクタ、配線ユニットを設置する空間を確保可能なケース本体とケースカバーの部材を用いることにより、配線及びコンセントを壁等に隠蔽することなく敷設することが可能である。また、コンセントユニットと配線ユニットを各々別部品とし、個々に増設したり、延長することが可能である。また、間仕切り壁等の移動及び増設、並びに、コンセント位置の移動、増設に柔軟に対応可能である。また、コンセントユニットに、所定長さの配線ユニットを接続することができるが、この接続の際にはコンセントユニットのプラグやコネクタを接続した可撓性配線を曲げて容易に接続することができ、配線着脱作業性が向上する。また、一次側の接続工事以外、ユーザがコンセントを自由に移動、増設、延長が実施可能である。
【００１４】
請求項２に記載の考案では、幅木カバーが、幅木本体の開口のうちコンセント本体が取り付けられていない部位を覆い、コンセントユニットのプラグやコネクタ、配線ユニットを設置する空間を確保可能な幅木カバーと幅木本体の部材を用いることにより、配線及びコンセントを壁等に隠蔽することなく敷設することが可能である。
【００１５】
請求項４に記載の考案では、コンセントユニットが、コンセント本体の厚さより、コンセントユニットの可撓性配線、プラグ、コネクタのいずれもの厚さが薄くて低い位置に配置され、かつ配線ユニットは、コンセント本体の厚さより、配線ユニットの可撓性配線、プラグ、コネクタ、防塵キャップのいずれもの厚さが薄くて低い位置に配置され、薄型のコンパクトの配線が可能である。
【考案を実施するための最良の形態】
【００１６】
以下、この考案の配線装置の実施の形態について説明するが、この考案の実施の形態は、考案の最も好ましい形態を示すものであり、この考案はこれに限定されない。
【００１７】
図１は配線装置の施工状態の側面図、図２は配線装置の施工状態の断面図、図３は図1のＩＩＩ−ＩＩＩ線に沿う断面図、図４は図1のＶＩ−ＶＩ線に沿う断面図、図５は幅木カバーを取り外した状態の側面図、図６はコンセントユニットの側面図、図７は配線ユニットの側面図、図８はコンセント部分を覆う幅木カバーの側面図、図９は図８のＩＸ−ＩＸ線に沿う断面図、図１０は化粧プレートの斜視図、図１１はコンセントを示す図、図１２はプラグを示す図、図１３はコネクタを示す図、図１４はコネクタの防塵キャップを示す図、図１５は配線装置の施工状態を示す斜視図、図１６は配線の接続状態を示す図である。
【００１８】
この考案では、配線ダクト１を用い、この配線ダクト１は、背面が施工面に当接し前面に全長に亙る開口が形成された幅木本体１０と、幅木本体１０の開口を覆う幅木カバー２０，２１とにより構成される。幅木本体１０及び幅木カバー２０，２１は、合成樹脂成形品である。この実施の形態では、幅木本体１０がケース本体を構成し、幅木カバー２０，２１がケースカバーを構成しているが、ケース本体はコンセントユニット３０、配線ユニット４０を収納し、ケースカバーは、ケース本体の開口のうちコンセント本体３０が取り付けられていない部位を覆うものであれば、これに限定されない。
【００１９】
幅木本体１０は、図３に示すように、収納凹み部１０ａと、通気部１０ｂ，１０ｃとを有する。収納凹み部１０ａは、背面が施工面に当接するベース部１０ａ１と、ベース部１０ａ１から延びる一対の立壁１０ａ2，１０ａ３により形成されている。立壁１０ａ２の先端部は、外側に屈曲して受部１０ａ２１が形成されている。立壁１０ａ３の先端部は、外側に屈曲して係合部１０ａ３１が形成され、さらに保持壁１０ａ３２によって補強されている。
【００２０】
通気部１０ｂは、ベース部１０ａ１の一端部１０ａ１１と、立壁１０ａ2とによって形成され、一端部１０ａ１１の端部には係合段部１０ａ１２が形成されている。通気部１０ｃは、ベース部１０ａ１の他端部１０ａ１４と、立壁１０ａ３、保持壁１０ａ３２及びベース部１０ａ１の他端部に形成された外側立壁１０ａ４とによって形成されている。
【００２１】
幅木カバー２０には、図３に示すように、一端側に押圧部２０ａと、内側に曲げた係合部２０ｂが形成され、他端側に外側立壁２０ｃと、開口部２０ｄと、内側に突出する係合片２０ｅが形成されている。
【００２２】
幅木本体１０は、例えばタッピンねじを用いることにより施工面に固着することができるが、施工面に接着することによって固着してもよい。幅木本体１０の収納凹み部１０ａには、図５に示すように、長手方向の適宜位置にコンセントユニット３０及び配線ユニット４０が収納され、図1及び図２に示すように、幅木本体１０の開口を幅木カバー２０，２１により覆う。
【００２３】
この幅木カバー２０は、図３に示すように、一端側の係合部２０ｂを幅木本体１０の係合段部１０ａ１２に係合し、押圧部２０ａを立壁１０ａ2の受部１０ａ２１に押圧させて通気路Ａを形成し、他端側の外側立壁２０ｃを外側立壁１０ａ４に突き当て、係合片２０ｅを係合部１０ａ３１に係合し、開口部２０ｄに通気隠し８０を係合して通気路Ｂを形成する。
【００２４】
幅木カバー２１は、図８及び図９に示すように、幅木カバー２０と同様に構成されるが、コンセントユニット３０の部分を覆うようになっており、中央に開口部２１ｇが形成され、この開口部２１ｇの両側に取付孔２１ｈが形成されている。この幅木カバー２１は、図４に示すように、一端側の係合部２０ｂを幅木本体１０の係合段部１０ａ１２に係合し、押圧部２１ａを立壁１０ａ2の受部１０ａ２１に押圧させて通気路Ａを形成し、他端側の外側立壁２１ｃを外側立壁１０ａ４に突き当て、係合片２１ｅを係合部１０ａ３１に係合し、開口部２０ｄに通気隠し８０を係合して通気路Ｂを形成する。
【００２５】
この配線ダクト１では、幅木本体１０と幅木カバー２０，２１が確実に取り付けられ、通気路Ａと、通気路Ｂとによって部屋側の空間と壁下地材裏側の空間との間に通気性を持たせるようにした幅木構造となっている。
【００２６】
コンセントユニット３０は、図５、図６、図１０乃至図１４に示すように、コンセント本体３１と、このコンセント本体３１の左右両側に接続された可撓性配線３２，３３と、一方の可撓性配線３２に接続されたプラグ３４と、他方の可撓性配線３３に接続されたコネクタ３５と、を含み、コネクタ３５には防塵キャップ３６が取り付けられる。可撓性配線３２，３３は、正及び負の電力線３１ｆを可撓性絶縁部材６０で被覆し、また接地電力線３１ｇを可撓性絶縁部材６１で被覆し、これらをさらに可撓性絶縁部材６２で一体化している。
【００２７】
コンセント本体３１は、器台３１ａと、蓋３１ｂをコンセント部３１ｃの両側に一対づつ設けられたネジ３１ｄによって取り付ける構成である。このコンセント本体３１は、コンセント部３１ｃの両側に取付孔３１ｅが一対づつ貫通して設けられ、この取付孔３１ｅのいずれか少なくとも対向する1個を利用し、タッピンネジ３７を幅木カバー２１の取付孔２１ｈから挿入し、幅木本体１０を貫通して施工面にねじ込まれ、これによりコンセント本体３１が固定される。
【００２８】
コンセント部３１ｃには、左右に両側の接続部３１ｃ１と、中央の接続部３１ｃ２が設けられており、両側の接続部３１ｃ１には刃受端子３１ｄが設けられ、中央の接続部３１ｃ２には接地刃受端子３１ｅが設けられている。両側の刃受端子３１ｄは、それぞれの端部が電力線３１ｆの一方の端部にかしめ加工によって接続されている。接地刃受端子３１ｅは、その端部が接地電力線３１ｇの一方の端部にかしめ加工によって接続されている。
【００２９】
また、コンセント本体３１に取り付けられる化粧プレート３１ｈは、図1０に示すように、中央に開口部３１ｈ１が形成され、さらにコンセント本体３１に接する部分に係止爪３１ｈ２が６個形成されている。この化粧プレート３１ｈは、開口部３１ｈ１をコンセント部３１ｃに挿入し、係止爪３１ｈ２を幅木カバー２１の開口部２１ｇの内側に係合して固定されている。コンセント本体３１には、逃げ段部３１ｂ１が形成され、係止爪３１ｈ２が干渉しないようになっている。
【００３０】
プラグ３４は、図1２に示すように、器台３４ａと、蓋３４ｂを可撓配線３２の端部の両側に一対づつ設けられたネジ3４ｃによって取り付ける構成である。器台3４ａの先端の両外側には、係止突起３４ａ１が設けられている。また、器台3４ａの先端の内側には、ガイド突起３４ａ２が設けられている。また、プラグ３４の内部には、左右に両側に刃端子３４ｄが設けられ、中央には接地刃受端子３４ｅが設けられている。両側の刃端子3４ｄは、それぞれの端部が電力線３１ｆの他方の端部にかしめ加工によって接続されている。接地刃端子３４ｅは、その端部が接地電力線３１ｇの他方の端部にかしめ加工によって接続されている。この両側の刃端子３４ｄと、接地刃端子3４ｅとを、器台3４ａと蓋3４ｂの接合面に合わせるように配置することで、プラグ３４が薄型になっている。
【００３１】
コネクタ３５は、図1３に示すように、器台3５ａと、蓋3５ｂを可撓性配線３３の端部の両側に一対づつ設けられたネジ３５ｃによって取り付ける構成である。器台3５ａの先端の両外側には、係止爪3５ａ１が設けられている。また、器台3５ａの先端の外側には、ガイド溝3５ａ２が設けられている。また、コネクタ３５の内部には、左右に両側に刃受端子3５ｄが設けられ、中央には接地刃受端子3５ｅが設けられている。両側の刃受端子3５ｄは、それぞれの端部が電力線３１ｆの他方の端部にかしめ加工によって接続されている。接地刃受端子３５ｅは、その端部が接地電力線３１ｇの他方の端部にかしめ加工によって接続されている。この両側の刃受端子3５ｄと、接地刃受端子3５ｅとを、器台3５ａと蓋3５ｂの接合面に合わせるように配置することで、コネクタ３５が薄型になっている。
【００３２】
防塵キャップ３６は、図1４に示すように、コネクタ３５が挿入されるには凹み部３６ａを有し、この凹み部３６ａに溝部３６ａ１と、突起部３６ａ２が形成され、外部の両側部に係合突起３６ｂが形成されている。この防塵キャップ３６の凹み部３６ａに、コネクタ３５が挿入され、この挿入によってコネクタ３５の係止爪３５ａ１が防塵キャップ３６が係合突起３６ｂに係合して抜けとめされる。また、防塵キャップ３６の突起部３６ａ２が、コネクタ３５のガイド溝3５ａ２にガイドされて円滑に挿入される。
【００３３】
配線ユニット４０は、図７に示すように、可撓性配線４１と、この可撓性配線４１の一端部に接続されたプラグ４２と、可撓性配線４１の他端部に接続されたコネクタ４３と、を有する。可撓性配線４１は、コンセントユニット３０の可撓性配線３２，３３と同様に構成され、プラグ４２には係止突起４２ａ１が設けられ、コンセントユニット３０のプラグ３４と同様に構成され、またコネクタ４３には係止爪４３ａ１が設けられ、コンセントユニット３０のプラグ3５と同様に構成されるから説明と省略する。
【００３４】
このコンセントユニット３０のプラグ３５と、配線ユニット４０のコネクタ４３とを接続し、配線ユニット４０のプラグ４２は配線基側の他の配線ユニットのプラグなどに接続し、コンセントユニット３０のコネクタ４３は、他の配線ユニットのプラグと接続するか、防塵キャップ３６で覆うようになっている。
【００３５】
この実施の形態の配線装置では、図1５（ａ）に示すように、壁面９５に設けた埋込ボックス（スイッチボックスなど）９６から電力線を引き込む際に、配線ダクト１が室内の壁面９５に幅木本体１０を当接させた形で施工される。配線ダクト１の壁面９５への取り付けには、所定長さの幅木本体１０を結合して長くし、この幅木本体１０の所定位置にコンセントユニット３０を取り付け、コンセントユニット３０のプラグ３４と、配線ユニット４０のコネクタ４３とを接続し、配線ユニット４０のプラグ４２は配線基側に接続する。コンセントユニット３０のコネクタ３５を、防塵キャップ３６で覆い、幅木カバー２０，２１により幅木本体１０の開口のうちコンセント本体３１が取り付けられていない部位を覆う。
【００３６】
また、図1５（ｂ）に示すように、コンセントユニット３０のコネクタ３５に、他の配線ユニット４０のプラグ４２を接続し、この他の配線ユニット４０のコネクタ４３に、他のコンセントユニット３０のプラグ３４を接続してコンセントを増設し、幅木カバー２０，２１により幅木本体１０の開口のうちコンセント本体３１が取り付けられていない部位を覆うようにしてもよい。
【００３７】
このように、幅木カバー２０，２１が、幅木本体１０の開口のうちコンセント本体３１が取り付けられていない部位を覆う構成であり、コンセントユニット３０のプラグ３４やコネクタ３５、配線ユニット４０を設置する空間を確保可能な幅木カバー２０，２１と幅木本体１０の部材を用いることにより、配線及びコンセントを壁等に隠蔽することなく敷設することが可能である。
【００３８】
また、コンセントユニット３０と配線ユニット４０を各々別部品とし、個々に増設したり、延長することが可能である。また、間仕切り壁等の移動及び増設、並びに、コンセント位置の移動、増設に柔軟に対応可能である。
【００３９】
また、一次側の接続工事以外に、コンセントユニット３０の位置を移動したり、コンセントユニット３０を追加できる。例えば、コンセントユニット３０を追加する場合、図１６（ａ）に示すように、幅木カバー２０を外し、コンセントユニット３０に所定長さの配線ユニット４０を接続するが、この接続の際には、コンセントユニット３０のコネクタ３５を接続した可撓性配線３３を曲げてコネクタ３５を幅木本体１０の開口から取り出し、配線ユニット４０のプラグ４２を容易に接続することができ、配線着脱作業性が向上する。
【００４０】
また、ユーザが配線ダクト１を施工面に取り付け、コンセントユニット３０に所定長さの配線ユニット４０を接続し、あるいは配線ユニット４０が長い場合には、可撓性配線４１を折り曲げて配線ダクト１に収納することで、コンセントを自由に移動、増設、延長が実施可能である。
【００４１】
また、図2に示すように、コンセントユニット３０は、コンセント本体３１の厚さＤ１０より、コンセントユニット３０の可撓性配線３２，３３、プラグ３４、コネクタ３５のいずれもの厚さＤ１１，１２，１３，１４が薄くて低い位置に配置され、かつ配線ユニット４０は、コンセント本体３１の厚さＤ１０より、配線ユニット４０の可撓性配線４１、プラグ４２、コネクタ４３、防塵キャップ３６のいずれもの厚さＤ２１，２２，２３，２４が薄くて低い位置に配置され、薄型のコンパクトの配線が可能である。
【００４２】
なお、この実施の形態では、電力線の配線について説明したが、信号線を引き込む際にも同様な配線装置を用いることができる。
【産業上の利用可能性】
【００４３】
この考案は、例えば住宅などにおいて電力線や信号線を引き回すために用いられる配線装置に適用でき、壁等に隠蔽することなく敷設することが可能で、コンセント位置の移動、増設に柔軟に対応可能で、しかも配線の着脱作業性の向上及び接続後の抜け防止が向上し、かつ一次側の接続工事以外、ユーザが自由に移動、増設、延長が実施可能である。
【図面の簡単な説明】
【００４４】
【図１】配線装置の施工状態の側面図である。
【図２】配線装置の施工状態の断面図である。
【図３】図1のＩＩＩ−ＩＩＩ線に沿う断面図である。
【図４】図1のＶＩ−ＶＩ線に沿う断面図である。
【図５】幅木カバーを取り外した状態の側面図である。
【図６】コンセントユニットの側面図である。
【図７】配線ユニットの側面図である。
【図８】コンセント部分を覆う幅木カバーの側面図である。
【図９】図８のＩＸ−ＩＸ線に沿う断面図である。
【図１０】化粧プレートの斜視図である。
【図１１】コンセントを示す図である。
【図１２】プラグを示す図である。
【図１３】コネクタを示す図である。
【図１４】コネクタの防塵キャップを示す図である。
【図１５】配線装置の施工状態を示す斜視図である。
【図１６】配線の接続状態を示す図である。
【符号の説明】
【００４５】
１  配線ダクト
１０  幅木本体
２０，２１  幅木カバー
３０  コンセントユニット
３１  コンセント本体
３２，３３  可撓性配線
３４  プラグ
３５  コネクタ
３６  防塵キャップ
４０  配線ユニット
４１  可撓性配線
４２  プラグ
４３  コネクタ
【図１】
0003122361.tif 000003
【図２】
0003122361.tif 000004
【図３】
0003122361.tif 000005
【図４】
0003122361.tif 000006
【図５】
0003122361.tif 000007
【図６】
0003122361.tif 000008
【図７】
0003122361.tif 000009
【図８】
0003122361.tif 000010
【図９】
0003122361.tif 000011
【図１０】
0003122361.tif 000012
【図１１】
0003122361.tif 000013
【図１２】
0003122361.tif 000014
【図１３】
0003122361.tif 000015
【図１４】
0003122361.tif 000016
【図１５】
0003122361.tif 000017
【図１６】
0003122361.tif 000018